(57)【要約】      （修正有）【課題】不意な打撲や擦れから手を保護しつつ、作業性を有効に担保する保護具を提供する。【解決手段】保護具Ａは、内面が手の甲側のみから当該手の甲に接する状態で装着される可撓性を有する平面帯状のベースと、当該ベースの基端側において手首に保持される保持部２と、ベースの先端側において指に装着される指装着部３と、ベースの外面に取付けられ少なくとも手の甲を覆い保護し得る保護パット４とを具備し、これにより、平面帯状のベースが手の甲に接した状態で掌側に干渉することなく装着されるので、作業者は掌を用いて行う作業について全く違和感の無い状態で行うことができ、すなわち、保護パット４により手の甲が有効に保護されつつ、作業性を有効に担保できる保護具。【選択図】図１
2013185290.tif 000002
【特許請求の範囲】
【請求項１】
内面が手の甲側のみから当該手の甲に接する状態で装着される可撓性を有する平面帯状のベースと、
当該ベースの基端側において手首に保持される保持部と、
前記ベースの先端側において指に装着される指装着部と、
前記ベースの外面に取付けられ少なくとも手の甲を覆い保護し得る保護パットとを具備することを特徴とする保護具。
【請求項２】
前記保護パットが前記ベースに対し着脱可能である請求項１記載の保護具。
【請求項３】
前記保護パットが面ファスナを介して前記ベースに対し着脱可能である請求項２記載の保護具。
【請求項４】
前記保護パットを複数具備している請求項１、２又は３記載の保護具。
【請求項５】
前記保護パットが、手の甲を保護する第一パットと、指の付け根から先の部位を保護する第二パットとを有している請求項４記載の保護具。
【請求項６】
前記保護パットが発泡体を有している請求項１、２、３、４又は５記載の保護具。
【請求項７】
前記保護パットが可撓性を有し衝撃を吸収可能な弾性体を有している請求項１、２、３、４、５又は６記載の保護具。
【請求項８】
前記指装着部が指を挿通可能な環形状を形成し得るものである請求項１、２、３、４、５、６又は７記載の保護具。
【発明の詳細な説明】
【技術分野】
【０００１】
本発明は、梱包作業や運搬作業等の作業中において手や指に掛かる衝撃から手を保護する保護具に関するものである。
【背景技術】
【０００２】
従来、梱包作業や運搬作業等を始めとして、作業中に荷物や他のものが指に衝突する際の衝撃から指を保護するための保護具が種々提案されている（例えば、特許文献１参照）。
【０００３】
また、保護具が指を保護する指保護具である態様としては、同文献のようなものは、保護具に衝撃が加わった際に指を有効に保護し得るとともに、作業中の指の動作にも干渉し難いものとなっている。その結果、指保護具を装着した場合であっても、装着していないとき同様の作業効率を担保している。
【０００４】
ところで、上記文献に係る指保護具を使用するような作業では、指のみならず、手の甲へも打撲や擦れといった衝撃が加わってしまう場合があり、これらの衝撃から手を保護することも同様に重要であるとされている。
【０００５】
しかしながら手の甲を保護するために上記の指保護具に類する形状のものや手袋に格別な保護部材を設けたようなものでは、実際の手の動きが制限されてしまい、作業性を有効に担保し得ないものとなってしまう。
【０００６】
本発明は、このような不具合に着目したものであり、好適に手を有効に保護しつつ、不意な衝撃において保護具自体が指を損傷させ難い、安全性の高い保護具を提供する。
【先行技術文献】
【特許文献】
【０００７】
【特許文献１】特開２００７−２９１５５５号公報
【発明の概要】
【発明が解決しようとする課題】
【０００８】
本発明は、このような不具合に着目したものであり、不意な打撲や擦れから手を保護しつつ、作業性を有効に担保することを目的としている。
【課題を解決するための手段】
【０００９】
本発明は、このような目的を達成するために、次のような手段を講じたものである。
【００１０】
すなわち本発明に係る保護具は、内面が手の甲側のみから当該手の甲に接する状態で装着される可撓性を有する平面帯状のベースと、当該ベースの基端側において手首に保持される保持部と、前記ベースの先端側において指に装着される指装着部と、前記ベースの外面に取付けられ少なくとも手の甲を覆い保護し得る保護パットとを具備することを特徴とする。
【００１１】
ここで、「手の甲側のみから当該手の甲に接する」とは、ベースの端部が掌側には回り込まずに手の甲に接しているという概念である。また当該記載は勿論、本発明に係る保護具を別異の手袋を装着した状態で使用することを否定するものではない。
【００１２】
このようなものであれば、平面帯状のベースが手の甲に接した状態で掌側に干渉することなく装着されるので、作業者は掌を用いて行う作業について全く違和感の無い状態で行うことができる。すなわち保護パットにより手の甲が有効に保護されつつ、作業性を有効に担保することができる。
【００１３】
また保護パットがベースに対し着脱可能な構成としておけば、作業者の手の大きさに応じた保護パットを選択したり、保護パッドのみが汚れた場合に保護パットのみを交換したりすることができ、作業者の作業の効率がより向上する。
【００１４】
保護パットをベースに対して常に安定して止着させつつ、着脱を好適に行わせるためには、保護パットを、面ファスナを介してベースに対し着脱可能な構成とすることが望ましい。
【００１５】
また、作業者の手の細かな動きにも保護パッドが有効に追従し得るようにするためには、保護パットを複数具備するようにしておけばよい。
【００１６】
また作業者の手の動きに有効に追従させつつ、さらに手の甲側からの保護を良好なものとするためには、保護パットを、手の甲を保護する第一パットと、指の付け根から先の部位を保護する第二パットとを有するものとしておくことが望ましい。
【００１７】
保護パッドを構成し得る素材としては種々のものが考えられるが、軽量で且つ衝撃を大きく吸収し得るものとして、保護パットが発泡体を有している態様を挙げることができる。
【００１８】
また保護パッドを吸収し得る他の素材としては、作業者の手の動きに好適に追従し得る一例として、保護パットが可撓性を有し衝撃を吸収可能な弾性体を有しているものを挙げることができる。
【００１９】
指に装着する指装着部の構成としては、簡便に装着し得る態様として、指を挿通可能な環形状を形成し得るものを挙げることができる。
【発明の効果】
【００２０】
本発明によれば、不意な打撲や擦れから手を保護しつつ、作業性を有効に担保する保護具を提供することができる。
【図面の簡単な説明】
【００２１】
【図１】本発明の一実施形態に係る外観図。
【図２】同実施形態に係る平面側から見た外観図。
【図３】同底面側から見た外観図。
【図４】同作用説明図。
【図５】同構成説明図。
【図６】同実施形態の変形例１に係る作用説明図。
【図７】同変形例２に係る作用説明図。
【図８】本発明の一実施形態に係る要部の端面図。
【図９】同実施形態の変形例２に係る要部の端面図。
【図１０】同変形例３に係る要部の端面図。
【図１１】同変形例４に係る要部の端面図。
【図１２】同変形例５に係る要部の端面図。
【図１３】同変形例６に係る要部の端面図。
【図１４】同変形例７に係る要部の端面図。
【発明を実施するための形態】
【００２２】
以下、本発明の一実施の形態について図面を参照して説明する。
【００２３】
本実施形態に係る保護具Ａを図１〜図５に示す。この保護具Ａは、例えば荷物の運搬、梱包作業などに用いるものであり、図１に示すように、本実施形態では左右何れの手にも装着し得るように構成している。
【００２４】
しかして本実施形態に係る保護具Ａは、内面が手の甲側のみから当該手の甲に接する状態で装着される可撓性を有する平面帯状のベース１と、当該ベース１の基端側において手首に保持される保持部２と、ベース１の先端側において指に装着される指装着部３と、ベース１の外面に取付けられ少なくとも手の甲を覆い保護し得る保護パット４とを具備することを特徴とするものである。
【００２５】
以下、保護具Ａの具体的な構成について説明する。
【００２６】
ベース１は、可撓性を有する平面帯状の布からなるものとしている。本実施形態では当該ベース１は、可撓性に加え伸縮性のあるベース本体１１と、保持部２に対して接続する基端接続部１２と、先端において指装着部３を固定している先端接続部１３とを有している。
【００２７】
保持部２は、手首に巻いた状態装着保持されるものであり、可撓性並びに伸縮性を有した布からなる保持部本体２１と、保持部本体２１の一端側においてベース１を縫いつけによって固定したベース固定部２２とを有している。
【００２８】
保護パット４は、本実施形態ではベース１に対し面ファスナ５を介して着脱可能に構成されたもので、複数に分かれた構成をなす。具体的には、手の甲を保護する第一パット４ａと、指の付け根から先の部位を保護する第二パット４ｂとを有する構成としている。この保護パット４は、本実施形態では外方に露出される側に衝撃を吸収可能な例えば発泡スチロールなどの発泡体４０ａからなるパット本体４０を設け、当該パット本体４０の内面側、すなわち装着した状態で手の甲に面する側前面に布面部４１を接着させた構成としている。この布面部４１によって、作業中に保護パット４が手の甲に接触したり擦れたりしても作業者が違和感を覚えないようにしている。
【００２９】
面ファスナ５は、ベース１及びの短寸方向中央の位置に、長手方向に沿って長尺状にそれぞれ縫いつけられたものである。この面ファスナ５は、本実施形態ではベース１側にフック面５１、保護パット４側にループ面５２をそれぞれ配している。
【００３０】
指装着部３は、ベース１の先端接続部１３に固定され且つ当該先端接続部１３の両側から突出した対をなす掛止め輪３０からなるものとしている。そして本実施形態では、この掛止め輪３０を、作業者の人差し指及び小指にそれぞれ取付けられるものとしている。
【００３１】
以上のような構成とすることにより、本実施形態に係る保護具Ａは、平面帯状のベース１が手の甲に接した状態で掌側に干渉することなく装着されるので、作業者は掌を用いて行う作業について全く違和感の無い状態で行うことができる。すなわち保護パット４により手の甲が有効に保護されつつ、作業性を有効に担保している。
【００３２】
また保護パット４がベース１に対し着脱可能な構成とすることにより、作業者の手の大きさに応じた保護パット４を選択したり、保護パット４のみが汚れた場合に保護パット４のみを交換したりすることができ、作業者の作業効率の向上に資するものとなっている。
【００３３】
そして保護パット４をベース１に対して常に安定して止着させつつ、着脱を好適に行わせるために本実施形態は、保護パット４を、面ファスナ５を介してベース１に対し着脱可能な構成としている。さらに本実施形態では、面ファスナ５自体も可撓性を有しているので、面ファスナ５自体が手の動きに良好に追従し得る。
【００３４】
また、作業者の手の細かな動きにも保護パット４が有効に追従し得るようにするために本実施形態では、保護パット４を複数具備する構成としている。具体的には作業者の手の動きに有効に追従させつつ、さらに手の甲側からの保護を良好なものとするために、手の甲を保護する第一パット４ａと、指の付け根から先の部位を保護する第二パット４ｂとを有する構成としている。
【００３５】
保護パット４を構成し得る素材として本実施形態では軽量で且つ衝撃を大きく吸収し得るものとして、パット本体４０が発泡スチロールなどの発泡体４０ａからなる態様としている。
【００３６】
＜変形例＞
以下に、本実施形態に係る各変形例について説明するが、以下の各編敬礼に於いて、上記実施形態の構成要素に相当するものに対しては同じ符号を付すとともに、その詳細な説明を省略する。
【００３７】
上記実施形態では二本の指に装着する態様を開示したが勿論、作業者が装着する際の指がどの指であるのか、或いは装着する指の本数は種々考えられる。すなわち図６に示す変形例１のように、指装着部３が指を挿通可能な単一の環を形成し得るものとしても良い。具体的に説明すると、この指装着部３は、両端から互いに接続する形状をなすアーチ部３１からなるものとすることで、先端接続部１３とともに環形状をなす指通し部Ｗを形成している。この指通し部Ｗに例えば一本の指を挿通させることで、上記実施形態同様に保護具Ａ単独で装着し得るようにしている。このようなものであっても勿論、上記実施形態同様の効果を奏するものとなる。
【００３８】
また上記実施形態ではパット本体４０が衝撃を吸収可能な発泡体４０ａからなるものとしていたが勿論、パット本体４０の素材は発泡体４０ａに限られない。
【００３９】
例えば図７に示す変形例２に示すように、パット本体４０が可撓性を有し衝撃を吸収可能な弾性体４０ｂからなるものとしても良い。このようなものであれば、図示の通り単一のパット本体４０としてもパット本体４０自体が手の動作に合わせて適宜変形することで、上記実施形態同様、手の動きの自由度が担保される。なお弾性体４０ｂを構成する具体的な素材としてはゴムやウレタン素材など既存の種々の素材を適用し得る。
【００４０】
さらに、上記実施形態及び変形例２では、図８及び図９に短寸方向に係る端面を示すように、パット本体４０が短寸方向において単一の発泡体４０ａ及び弾性体４０ｂからなる態様を開示したが、例えば図１０に係る変形例３に示すように短寸方向にパット本体４０を分割する態様や図１１に係る変形例４に示すようにパット本体４０すなわち衝撃を吸収し得る層を複数とする構造としても良い。図１１ではパット本体４０を発泡体４０ａと弾性体４０ｂとの二層構造とした態様を例示している。
【００４１】
さらに図１２、図１３及び図１４に係る変形例５、６及び７に例示するように、パット本体４０が袋状体４０ｚを有するものであっても良い。図１２に係る変形例５では袋状体４０ｚの内部にビーズ状の発泡体４０ａである発泡ビーズ４０ｂを充填したものを示している。図１３に係る変形例６では袋状体４０ｚの内部に衝撃を吸収し得るゲル状体４０ｅを充填した態様を示している。そして図１４に示す変形例７では袋状体４０ｚの中に空気４０ｆを入れ密閉した態様を示している。
【００４２】
以上、本発明の実施形態について説明したが、各部の具体的な構成は、上述した実施形態のみに限定されるものではなく、本発明の趣旨を逸脱しない範囲で種々変形が可能である。
【００４３】
例えば、上記実施形態では保護パットを面ファスナを介して着脱可能に構成したが勿論、保護パッドをベースに直接貼り付け、或いは縫いつける態様を適用したり、面ファスナ以外の既存の手段によって着脱可能に構成したりしても良い。また上記実施形態では環状をなした伸縮性を有する布からなる保持部によって手首に保護具を装着し、素材の伸縮により手首のサイズに対応し得る態様を開示したが勿論、帯状をなした布材の両端に面ファスナを設けることによって、手首のサイズに適用し得るようにしたものであってもよい。また保護パッドや指装着部、さらには指保護具の詳細な形状、サイズといった具体的な態様は上記実施形態のものに限定されることはなく、既存のものを含め、種々の態様のものを適用することができる。
【００４４】
その他、各部の具体的構成についても上記実施形態に限られるものではなく、本発明の趣旨を逸脱しない範囲で種々変形が可能である。
【産業上の利用可能性】
【００４５】
本発明は、梱包作業や運搬作業等の作業中において手や指に掛かる衝撃から手を保護する保護具として利用することができる。
【符号の説明】
【００４６】
Ａ…保護具
１…ベース
２…保持部
３…指装着部
４…保護パット
４ａ…第一パット
４ｂ…第二パット
４０ａ…発泡体
４０ｂ…弾性体
５…面ファスナ
【図１】
2013185290.tif 000003
【図２】
2013185290.tif 000004
【図３】
2013185290.tif 000005
【図４】
2013185290.tif 000006
【図５】
2013185290.tif 000007
【図６】
2013185290.tif 000008
【図７】
2013185290.tif 000009
【図８】
2013185290.tif 000010
【図９】
2013185290.tif 000011
【図１０】
2013185290.tif 000012
【図１１】
2013185290.tif 000013
【図１２】
2013185290.tif 000014
【図１３】
2013185290.tif 000015
【図１４】
2013185290.tif 000016